(57)【要約】【課題】液体が充填された状態で装飾性のある表示を実現可能な情報表示装置を提供する。【解決手段】電子時計１０は、時針用指標２１ａを搭載する円盤指針２１と、分針用指標２２ａを搭載する円盤指針２２と、時針用指標２１ａと分針用指標２２ａと円盤指針２１および２２とを収容し時針用指標２１ａと分針用指標２２ａと円盤指針２１および２２と対向する位置に光の透過性を有するカバーガラス３３を備えた収容部３６と、収容部３６内に充填され光の透過性を有する液体３７と、を含む。円盤指針２１および２２は、光の透過性を有する。時針用指標２１ａおよび分針用指標２２ａは、円盤指針２１、２２および液体３７よりも光の反射率が高い。液体３７は、円盤指針２１および２２との界面での光の反射を抑制する。【選択図】図２
2017142190.tif 000002
【特許請求の範囲】
【請求項１】
指標と、
前記指標を搭載する搭載部と、
前記指標と前記搭載部とを収容し、前記指標および前記搭載部と対向する位置に光の透過性を有する透過部材を備えた収容部と、
前記収容部内に充填され光の透過性を有する液体と、を含み、
前記搭載部は、光の透過性を有し、
前記指標は、前記搭載部および前記液体よりも光の反射率が高く、
前記液体は、前記搭載部との界面での光の反射を抑制する、
ことを特徴とする情報表示装置。
【請求項２】
前記搭載部は、前記収容部に固定されている、
ことを特徴とする請求項１に記載の情報表示装置。
【請求項３】
前記搭載部は、前記指標の位置を変更する、
ことを特徴とする請求項１に記載の情報表示装置。
【請求項４】
前記搭載部は、回転軸を中心とする回転により、前記指標の位置を変更する、
ことを特徴とする請求項３に記載の情報表示装置。
【請求項５】
前記指標は、第１指標と第２指標とを含み、
前記搭載部は、前記第１指標を搭載し前記収容部に固定されている第１搭載部と、前記第２指標を搭載し前記第２指標の位置を変更する第２搭載部と、を含む、
ことを特徴とする請求項１に記載の情報表示装置。
【請求項６】
前記搭載部の屈折率は、空気の屈折率よりも大きく、
前記液体の屈折率は、前記空気の屈折率よりも大きく前記搭載部の屈折率以下である、
ことを特徴とする請求項１から５のいずれか１項に記載の情報表示装置。
【請求項７】
前記収容部内には、前記搭載部の前記透過部材が配置されている側とは反対側に、光エネルギーを電気エネルギーに変換する光発電部が設けられている、
ことを特徴とする請求項１から６のいずれか１項に記載の情報表示装置。
【発明の詳細な説明】
【技術分野】
【０００１】
本発明は、情報表示装置に関する。
【背景技術】
【０００２】
表示部が収められたケース等の収容部に透明な液体が充填された機器が知られている（特許文献１参照）。
【先行技術文献】
【特許文献】
【０００３】
【特許文献１】特開２０００−２６６８６７号公報
【発明の概要】
【発明が解決しようとする課題】
【０００４】
時計等の情報表示装置には、一般に、実用性と装飾性が要求される。このため、特許文献１に記載されたような収容部に液体が充填された機器においても、装飾性のある表示を実現することが望まれている。
【０００５】
本発明は上述した事情に鑑みてなされたものであり、液体が充填された機器において装飾性のある表示を実現することを解決課題とする。
【課題を解決するための手段】
【０００６】
本発明の情報表示装置の一態様は、指標と、前記指標を搭載する搭載部と、前記指標と前記搭載部とを収容し、前記指標および前記搭載部と対向する位置に光の透過性を有する透過部材を備えた収容部と、前記収容部内に充填され光の透過性を有する液体と、を含み、前記搭載部は、光の透過性を有し、前記指標は、前記搭載部および前記液体よりも光の反射率が高く、前記液体は、前記搭載部との界面での光の反射を抑制する。
この態様によれば、液体と搭載部との界面での光の反射が抑制されるため、光の透過性を有する液体および搭載部に加えて、液体と搭載部との境界も視認され難くなる。よって、指標が収容部の中で浮いているようにユーザーに見せることが可能になり、装飾性のある表示が可能になる。
【０００７】
上述した情報表示装置の一態様において、前記搭載部は、前記収容部に固定されていることが望ましい。なお、「前記搭載部は、前記収容部に固定されている」とは、搭載部が収容部と直接固定されてもよいし、搭載部が何らかの部材を介して収容部と間接的に固定されてもよいことを含む。
この態様によれば、指標は収容部の中の固定位置で浮いているように見え、装飾性のある表示が可能になる。
【０００８】
上述した情報表示装置の一態様において、前記搭載部は、前記指標の位置を変更することが望ましい。
この態様によれば、指標は、収容部内を浮いた状態で移動しているように見え、より装飾性のある表示が可能になる。
【０００９】
上述した情報表示装置の一態様において、前記搭載部は、回転軸を中心とする回転により、前記指標の位置を変更することが望ましい。
この態様によれば、指標は、収容部内を浮いた状態で回転移動しているように見え、より装飾性のある表示が可能になる。
【００１０】
上述した情報表示装置の一態様において、前記指標は、第１指標と第２指標を含み、前記搭載部は、前記第１指標を搭載し前記収容部に固定されている第１搭載部と、前記第２指標を搭載し前記第２指標の位置を変更する第２搭載部と、を含むことが望ましい。
例えば、液体の屈折率と搭載部の屈折率とが異なる状況において、搭載部を透過した光が収容部内の何らかの部材または収容部の内壁で反射する場合、その光は、液体と搭載部との界面で屈折する。そして、この屈折により、ユーザーは、上記部材または内壁の位置を、この屈折がない場合に比べてずれた位置に視認する。
一方、内部空間に入射した光のうち第１指標と第２指標との各々で反射する光は、液体と搭載部との界面を通らないので、上述した屈折の影響を受けずに、ユーザーにて視認される。
このため、第１指標と第２指標は、第１指標と第２指標との位置関係を保った状態でユーザーにて視認される。しかしながら、第１指標および第２指標と、上記部材または内壁と、の位置関係は、上述した屈折の有無によって、位置関係が保たれずに、ユーザーに視認されることになる。
よって、第１指標と第２指標との組み合わせによって表される情報は、第１指標および第２指標と、上記部材または内壁と、の組み合わせによって表される情報よりも、視認性が高くなる。
【００１１】
上述した情報表示装置の一態様において、前記搭載部の屈折率は、空気の屈折率よりも大きく、前記液体の屈折率は、前記空気の屈折率よりも大きく前記搭載部の屈折率以下であることが望ましい。
この態様によれば、収容部に上記液体の代わりに空気が充填されている場合に比べて、搭載部との界面での光の反射を抑制でき、該境界を視認され難くすることが可能になり、装飾性を向上することができる。
【００１２】
上述した情報表示装置の一態様において、前記収容部内には、前記搭載部の前記透過部材が配置されている側とは反対側に、光エネルギーを電気エネルギーに変換する光発電部が設けられていることが望ましい。
この態様によれば、液体と搭載部との界面での光の反射が抑制されているため、界面で反射されずに光発電部に到達する光の量を増やすことが可能になる。よって、光発電部による発電量を増加することが可能になる。
【図面の簡単な説明】
【００１３】
【図１】本発明の一実施形態に係る電子時計１０を示した平面図である。
【図２】電子時計１０の概略を示す断面図である。
【図３】電子時計１０の電気制御ブロック図である。
【発明を実施するための形態】
【００１４】
＜第１実施形態＞
図１および図２を参照して本発明の第１実施形態について説明する。図１は、本発明の第１実施形態に係る電子時計１０を示した平面図である。図２は、電子時計１０の概略を示す断面図である。
以下では、電子時計１０が腕時計である例について説明するが、電子時計１０は、腕時計に限らず、置き時計や掛け時計など時計であればよい。電子時計１０は、情報表示装置の一例である。
【００１５】
電子時計１０は、腕と接触する側の面（以下「裏面」と称する）の反対側の面（以下「表面」と称する）に時刻を表示する。
図２に示すように、電子時計１０は、外装ケース３０と、カバーガラス３３と、金属で形成された裏蓋３４とを備えている。カバーガラス３３は、光の透過性を有する透過部材の一例である。
外装ケース３０は、金属で形成された円筒状のケース３１と、セラミックで形成されたベゼル３２と、セラミックで形成された外胴部材３５ａおよび３５ｂとを備えている。外装ケース３０の２つの開口のうち、表面側の開口は、ベゼル３２を介してカバーガラス３３で塞がれており、裏面側の開口は、裏蓋３４で塞がれている。
外装ケース３０とカバーガラス３３と裏蓋３４は、収容部３６に含まれる。収容部３６は、電子時計１０の内部空間３６ａを画定する。内部空間３６ａには、液体３７が充填されている。
【００１６】
液体３７は、光の透過性および絶縁性を有する。液体３７は、例えば、透明な液体である。液体３７としては、例えば、無色透明のフッ素系不活性液体が用いられる。無色透明のフッ素系不活性液体の一例としては、商品名「フロニナート」（登録商標）（菱江化学株式会社製）が挙げられる。液体３７は、「フロニナート」に限らず適宜変更可能である。
カバーガラス３３および液体３７が光の透過性を有しているので、ユーザーは、カバーガラス３３および液体３７を介して、内部空間３６ａを視認することが可能になる。
【００１７】
カバーガラス３３が搭載されるベゼル３２は、電子時計１０の表面側においてケース３１に嵌合される。ベゼル３２の内周側には、光の透過性を有するプラスチック（例えば、透明プラスチック）で形成されたリング状のダイヤルリング４０を介して、文字板１１が固定配置されている。ダイヤルリング４０は、文字板１１に固定、つまり文字板１１を介して収容部３６に固定されている。なお、ダイヤルリング４０は、収容部３６（例えばベゼル３２）と直接固定されてもよい。また、ダイヤルリング４０は、文字板１１と外装ケース３０との隙間に挟み込まれた状態で収容部３６に固定されてもよい。つまり、ダイヤルリング４０は、直接的または間接的に収容部３６に固定されてもよい。
【００１８】
文字板１１は、外装ケース３０の内側で時刻を表示するための文字が記載された円形の板材である。文字板１１は、透明プラスチックなどの光透過性を有する材料で形成されている。ここで、文字板１１に記載された文字は、光透過性を有さない材料で形成される。なお、文字板１１の代わりに、光透過性を有する材料で形成され文字が記載されていない円形の板材が用いられてもよい。
文字板１１とカバーガラス３３との間には、円盤状の指針（以下「円盤指針」と称する）２１および２２と、ダイヤルリング４０が位置する。
【００１９】
円盤指針２１および２２とダイヤルリング４０は、透明プラスチックなどの光透過性を有する材料で形成されている。円盤指針２１および２２とダイヤルリング４０の各々の屈折率は、互いに等しくてもよいし、円盤指針２１および２２とダイヤルリング４０の３つの屈折率のうち、少なくとも２つの屈折率が異なっていてもよい。
【００２０】
円盤指針２１および２２は、文字板１１を貫通する指針軸（回転軸）２５を中心とする回転により周回する。
指針軸２５は、外装ケース３０の平面視中心を通り表裏方向に延在する中心軸に沿って設けられている。指針軸２５は、外装ケース３０の内側に設けられた駆動機構１４０によって駆動される。指針軸２５は、円盤指針２１や円盤指針２２と同様の屈折率と光の透過性とを有してもよいし、光の透過性を有さなくてもよい。
【００２１】
円盤指針２１および２２とダイヤルリング４０は、それぞれ、搭載部の一例である。さらに言えば、ダイヤルリング４０は、第１搭載部の一例であり、円盤指針２１および２２は、第２搭載部の一例である。
円盤指針２１は、１２時間で１周する。円盤指針２１の周側の部分には、時針用指標２１ａが搭載されている。時針用指標２１ａは、指標および第２指標の一例である。時針用指標２１ａは、時針として機能する。
円盤指針２２は、１時間で１周する。円盤指針２２の周側の部分には、分針用指標２２ａが搭載されている。分針用指標２２ａは、指標および第２指標の一例である。分針用指標２２ａは、分針として機能する。
ダイヤルリング４０の外周端は、ベゼル３２の内周面に接触している。ダイヤルリング４０は、カバーガラス３３と平行な平板部分４０ａと、内周端が文字板１１に接触するように文字板１１側へ傾斜した傾斜部分４０ｂと、を備えている。
ダイヤルリング４０は、平面視においてはリング形状となっており、断面視においてはすり鉢形状となっている。
ダイヤルリング４０には、１時から１２時の各時に対応する位置に、１時から１２時の各時を示す指標４１が搭載されている（図１参照）。指標４１は、第１指標の一例である。
時針用指標２１ａと分針用指標２２ａと指標４１の各々は、例えば、ダイヤモンドで形成される。時針用指標２１ａと分針用指標２２ａと指標４１の各々の材料は、ダイヤモンドに限らず、円盤指針２１および２２とダイヤルリング４０および液体３７よりも光の反射率が高い材料であればよい。また、時針用指標２１ａの形状を時針の形状とし、分針用指標２２ａの形状を分針の形状としてもよい。
【００２２】
液体３７は、ダイヤルリング４０との界面、円盤指針２１との界面、および、円盤指針２２との界面において、光の反射を抑制する。
例えば、ダイヤルリング４０と円盤指針２１と円盤指針２２の各々の屈折率が等しい場合、液体３７として、それらの屈折率と同様の屈折率を有する液体が用いられる。
この場合、液体３７とダイヤルリング４０との界面や、液体３７と円盤指針２１との界面や、液体３７と円盤指針２２との界面の各々において、光の反射を高い確率で抑制可能となる。
よって、光の透過性を有する液体３７、光の透過性を有するダイヤルリング４０、光の透過性を有する円盤指針２１および２２に加えて、液体３７とダイヤルリング４０との境界と、液体３７と円盤指針２１および２２との境界も、視認され難くなる。
このため、ダイヤルリング４０上の指標４１は、内部空間３６ａに浮いているように見え、移動する円盤指針２１に搭載された時針用指標２１ａと、移動する円盤指針２２に搭載された分針用指標２２ａは、内部空間３６ａに浮いた状態で動いているように見える。これにより、装飾性のある表示が可能になる。
【００２３】
また、例えば、ダイヤルリング４０と円盤指針２１と円盤指針２２の屈折率が等しくその値が１．３０〜１．５９の値（例えば１．５９）である状況で、液体３７の屈折率が１．２９である場合、ダイヤルリング４０、円盤指針２１および２２の各々の屈折率と液体３７の屈折率との差（以下「第１屈折率差」と称する）が、ダイヤルリング４０、円盤指針２１および２２の各々の屈折率と空気の屈折率（＝１）との差（以下「第２屈折率差」と称する）よりも小さくなる。
このように第１屈折率差が第２屈折率差よりも小さい場合、液体３７の代わりに空気が充填されている場合に比べて、ダイヤルリング４０や円盤指針２１および２２が視認され難く、装飾性のある表示が可能になる。
なお、液体３７の屈折率は、１．２９に限らず、空気の屈折率よりも大きく、円盤指針２１および２２とダイヤルリング４０の屈折率以下であれば、適宜変更可能である。
この場合、空気の屈折率に比べて、液体３７の屈折率が、円盤指針２１および２２とダイヤルリング４０の各々の屈折率に近くなる。よって、液体３７の代わりに空気が充填されている場合に比べて、円盤指針２１および２２とダイヤルリング４０と、液体３７と、の界面での光の反射（乱反射を含む）をより抑制可能になる。また、液体３７の屈折率が、円盤指針２１および２２とダイヤルリング４０の屈折率以下であるので、カバーガラス３３から入射し液体３７の中を通過した光が、円盤指針２１および２２やダイヤルリング４０との界面で全反射してしまう可能性を低くできる。
また、円盤指針２１および２２とダイヤルリング４０の各々の屈折率は、１．３０〜１．５９の値に限らず、空気の屈折率より大きく、液体３７の屈折率以上であれば、適宜変更可能である。
【００２４】
ケース３１は、文字板１１の中心から見て１２時側および６時側の各側面に、バンドを取り付けるための一対のかん（不図示）を備えている。バンドは、ストラップあるいはベルトであってもよい。
【００２５】
外胴部材３５ａおよび３５ｂは、１２時側のかんと６時側のかんとの間のケース３１の互いに対向する側面に、ねじ等により取り付けられている。
【００２６】
文字板１１と、駆動機構１４０が取り付けられている地板１２５との間には、光発電を行うソーラーパネル１３５が備えられている。文字板１１と地板１２５との間の位置は、収容部３６において、ダイヤルリング４０、円盤指針２１および２２のカバーガラス３３側とは反対側と対向する位置の一例である。ソーラーパネル１３５は、光発電部の一例である。ソーラーパネル１３５は、光エネルギーを電気エネルギー（電力）に変換する複数のソーラーセル（光発電素子）を直列接続した円形の平板である。ソーラーパネル１３５は、太陽光の検出機能も有している。駆動機構１４０は、ソーラーパネル１３５が発電した電力を用いて駆動する。
カバーガラス３３を介して内部空間３６ａに入射した光は、上述したように、液体３７とダイヤルリング４０や円盤指針２１、２２との界面での反射が抑制されている。このため、それらの界面で反射されずにソーラーパネル１３５に到達する光の量を増やすことが可能になる。よって、ソーラーパネル１３５による発電量を増加することが可能になる。また、ソーラーパネル１３５が発電した電力を用いて駆動機構１４０が駆動するため、駆動用の電池の取り換え頻度を低くすることが可能になる。よって、電池を取り換えるために裏蓋３４を開ける頻度を低くでき、裏蓋３４を開けた際に液体３７が漏れることを抑制可能になる。
なお、文字板１１、ソーラーパネル１３５および地板１２５には、指針軸２５が貫通する孔が形成されている。
【００２７】
駆動機構１４０は、地板１２５に取り付けられ、回路基板１２０で裏面側から覆われている。駆動機構１４０は、ステップモーター（不図示）と歯車などの輪列（不図示）とを有する。ステップモーターが輪列を介して指針軸２５を回転させることにより、円盤指針２１および２２が駆動する。
【００２８】
回路基板１２０は、制御部１５０およびリチウムイオン電池などの二次電池１３０を備えている。二次電池１３０は、ソーラーパネル１３５が発電した電力で充電される。
回路基板１２０と地板１２５の間には、支持部１１５が設けられている。回路基板１２０の下方には、回路基板１２０のグランド電位に接続された回路押え１２３が設けられている。
【００２９】
地板１２５は、プラスチック部品で構成されている。地板１２５には、駆動機構１４０および二次電池１３０の取り付け部（不図示）と、ソーラーパネル１３５と文字板１１を固定する固定部（不図示）が設けられている。
【００３０】
次に、電子時計１０の電気的構成について説明する。
図３は、電子時計１０の電気制御ブロック図である。電子時計１０は、ＣＰＵ（中央処理装置）１５３、ＲＡＭ（Random Access Memory）１５４、ＲＯＭ（Read Only Memory）１５５を基本構成とする制御部１５０と、入力装置１５７や駆動機構１４０の周辺装置とを備えている。これらの各装置は、データバス１５９を介してデータを送受信する。入力装置１５７は、図１や図２に示すリューズ５０である。電子時計１０は、電源となる充電可能な二次電池１３０（図２参照）を内蔵している。
【００３１】
ＲＡＭ１５４とＲＯＭ１５５とは、電子時計１０の記憶部である。ＲＯＭ１５５には、ＣＰＵ１５３にて実行されるプログラム等が記憶される。ＣＰＵ１５３は、ＲＡＭ１５４を作業領域として使用し、ＲＯＭ１５５に記憶されたプログラムを実行することにより、各種の演算、制御および計時を行う。この計時は、例えば、図示しない発振回路からの基準信号のパルス数を計数することによって行われる。
【００３２】
ＣＰＵ１５３は、内部時計（不図示）の計時時刻が表示されるように、駆動機構１４０を駆動する制御を行う。これにより、電子時計１０は、文字板１１と円盤指針２１および２２により内部時刻を表示する。
【００３３】
本実施形態によれば、時刻を表示する時針用指標２１ａおよび分針用指標２２ａが、内部空間３６ａを浮いた状態で回転移動しているように見え、装飾性のある表示が可能になる。
なお、カバーガラス３３を介して内部空間３６ａに入射した光のうち、文字板１１の文字で反射する光は、円盤指針２１または円盤指針２２またはダイヤルリング４０と、液体３７とを通って、ユーザーに視認される場合がある。ここで、液体３７の屈折率が円盤指針２１および円盤指針２２およびダイヤルリング４０と異なっている場合、液体３７と、円盤指針２１または円盤指針２２またはダイヤルリング４０と、の界面で屈折が生じる。そして、この屈折により、ユーザーは、文字板１１の文字の位置を、この屈折がない場合に比べてずれた位置に視認する。
一方、カバーガラス３３を介して内部空間３６ａに入射した光のうち、時針用指標２１ａと分針用指標２２ａと指標４１で反射される光は、円盤指針２１、円盤指針２２およびダイヤルリング４０を通らずに、液体３７を通って、ユーザーに視認される。このため、時針用指標２１ａおよび分針用指標２２ａと指標４１とで反射される光は、上述した屈折の影響を受けずに、ユーザーにて視認される。
このため、時針用指標２１ａおよび分針用指標２２ａと指標４１とは、時針用指標２１ａと指標４１との位置関係、および分針用指針２２ａと指標４１との位置関係を保った状態でユーザーにて視認される。しかしながら、時針用指標２１ａおよび分針用指標２２ａと、文字板１１の文字との位置関係は、上述した屈折の有無によって、位置関係が保たれずに、ユーザーに視認されることになる。
よって、時針用指標２１ａおよび分針用指標２２ａと指標４１との組み合わせによって表される時刻の情報は、時針用指標２１ａおよび分針用指標２２ａと文字板１１の文字との組み合わせによって表される時刻の情報よりも、視認性が高くなる。
【００３４】
＜変形例＞
本発明は、上述した実施形態に限定されるものではなく、例えば以下に示すような種々の変形を加えることができる。
【００３５】
＜変形例１＞
時針用指標２１ａを搭載した搭載部（円盤指針２１）の形状や、分針用指標２２ａを搭載した搭載部（円盤指針２２）の形状は、円盤形状に限らず適宜変更可能である。例えば、時針用指標２１ａを搭載した搭載部として、時針用指標２１ａを搭載し時針の形状を有する指針が用いられてもよく、分針用指標２２ａを搭載した搭載部として、分針用指標２２ａを搭載し分針の形状を有する指針が用いられてもよい。
【００３６】
＜変形例２＞
上記実施形態では、ダイヤルリング４０と円盤指針２１および２２のすべてを、光の透過性を有する構成としたが、例えば、ダイヤルリング４０は光の透過性を有さず、円盤指針２１および２２の少なくとも一方が光の透過性を有してもよい。この場合、液体３７は、円盤指針２１および２２のうち光の透過性を有する円盤指針との界面での光の反射を抑制することになる。
また、ダイヤルリング４０が光の透過性を有し、円盤指針２１および２２のいずれかまたは両方が光の透過性を有さなくてもよい。この場合、液体３７は、ダイヤルリング４０との界面、および、円盤指針２１および２２のうち光の透過性を有する円盤指針との界面での光の反射を抑制することになる。
また、ダイヤルリング４０には、指標４１以外にも、光の透過性を有さない部材が搭載されてもよい。また、円盤指標２１には、時針用指標２１ａ以外にも、光の透過性を有さない部材が搭載されてもよい。また、円盤指標２２には、分針用指標２２ａ以外にも、光の透過性を有さない部材が搭載されてもよい。
なお、少なくとも円盤指針２１が光の透過性を有さない場合には、円盤指針２１と円盤指針２２との位置関係を逆（円盤指針２１が文字板１１側に位置し、円盤指針２２がカバーガラス３３側に位置する位置関係）にする。
【００３７】
＜変形例３＞
指針軸２５に対して、円盤指針２１と同様の屈折率と光の透過性とを有し１分で１周する円盤指針がさらに設けられ、この円盤指針に、ダイヤモンド等で形成された秒針用指標が搭載されてもよい。
この場合、秒針用指標も、内部空間３６ａ内を浮いた状態で回転移動しているように見え、装飾性のある表示が可能になる。
【００３８】
＜変形例４＞
ソーラーパネル１３５が省略されてもよい。
【００３９】
＜変形例５＞
ケース３１、ベゼル３２および外胴部材３５を備える外装ケース３０と、裏蓋３４とが、一体となったワンピースケースが、外装ケース３０および裏蓋３４として用いられてもよい。
【符号の説明】
【００４０】
１０…電子時計、１１…文字板、２１、２２…円盤指針、２１ａ…時針用指標、２２ａ…分針用指標、３０…外装ケース、３１…ケース、３２…ベゼル、３３…カバーガラス、３４…裏蓋、３５ａ，３５ｂ…外胴部材、３６…収容部、３６ａ…内部空間、３７…液体、４０…ダイヤルリング、４１…指標、５０…リュウズ、６１…ねじ、１３５…ソーラーパネル。
【図１】
2017142190.tif 000003
【図２】
2017142190.tif 000004
【図３】
2017142190.tif 000005